(57)【特許請求の範囲】
【請求項１】
細長い短冊状の平面部の片方が円形状に湾曲した弾性部を形成させ、弾性部が構成されている側の平面部に、繰り返し剥離し貼り替えが可能な低粘着性接着部を設けた、自動でページ位置がわかるしおり機能がついた背表紙シール。
【発明の詳細な説明】
【技術分野】
【０００１】  この発明は、読書の進行に合わせて、しおりの挿む位置をわざわざ挿みかえることなく、自動でページ位置がわかるしおり機能がついた背表紙シール（以下本発明という）である。
【背景技術】
【０００２】  従来、しおりといえば、矩形の紙でできたもの、また、それに類するもの、あるいは、本の背表紙の裏あたりにつながった紐を読書中断時に、読書中のページに挿みこむという動作を行うことにより、しおりとしての機能を果たさせていた。【０００３】  一方、ファイルなどの背表紙に題名などを記載して貼り付ける、接着剤のついた背表紙用シールはあるが、あくまでもそれらは単にシール専用のものであった。
【先行技術文献】
【特許文献】
【０００４】
【特許文献１】特開平１１−２７７９３５号公報
【特許文献２】実開平６−８３３６３号公報
【発明の概要】
【発明が解決しようとする課題】
【０００５】  通常、読書中のしおりが挿まれている位置は、ページをめくるたびにページ位置を移動させるわけでなく、当初挿まれた位置に残留させておくか、あるいはとりあえず他のページ位置に移動させて挿んでおくなど、読書中の位置以外にあることが多く、この状態であると、たとえば紙製のしおりであると、書籍の紙よりも、しおりの紙質が厚くコシがあるために、読書中の位置からしおりの位置に勝手にページが開いたりすることが多々ある。【０００６】  また、読書中のページにしおりがある場合、本が開いているために、紙のしおりが本より脱落したりすることもあるし、しおりのために文字が隠れ、読書の妨げになるという不具合もあった。【０００７】  また、紐のしおりを使用している場合、時として、紐を強く引っ張ったりした時、ページの端にひっかかって紙を破ってしまうことも発生する。【０００８】  このような具合では困るので、読書中の位置以外のページにしおりを挿み替えるなどをするが、面倒であり、しおりの紙質が硬いとしおりのページが開こうとする力が働くために不愉快である。【０００９】  一方、ファイルなどの背表紙に見出しとして張り付ける短冊状のシールはあるが、これらは単にファイルのタイトルを記載しておくに過ぎなく、当該ファイルを際立って目立つ形状的な工夫はない。
【課題を解決するための手段】
【００１０】  このような不具合を解消するために、細長い短冊状の平面部３の片側に、アルファベットのＰの文字状のように頭部分が円形状に湾曲した弾力を持った弾性部１を構成させ、この弾性部１がある弾性部が円形状に湾曲した方向側の平面部３ａに、低粘着性接着部５として、剥離可能で繰り返し貼り直しができる、低粘着性剤塗布、あるいは同機能を持つ低粘着性の接着シートなどを貼り付ける。【００１１】  弾性部が円形状に湾曲した方向側の平面部３ａと反対面（以降背面という）には、文字を記載可能なようなマット処理を施す、あるいはマット印刷処理を施す、又は紙を貼り付けるなどにより、鉛筆、ボールペンなどの筆記具で文字を記載できる、文字記入部６を施す。【００１２】  また、背面の文字を記載する部分は、図８に示すように、平面部３ｃの形状を横広がり形に製作することにより、ファイル表紙、背表紙面からでも、文字記入部６が視認できるようにする。
【発明の効果】
【００１３】  しおりとして使用するには、本発明の平面部３は読書ページ１０より後ページ側に設定し、低粘着性接着部５により紙面に固定されていて、しおりの円形状に湾曲した弾性部１の弾性部先端２が、わずかに読書ページの紙を押さえているだけのために読書の目障りにならず、また、文字を隠すこともなく読書が可能である。【００１４】  読書するにしたがってページをめくるが、弾性部１の円形状の湾曲部分が、めくるページの紙により、押し広げられて弾性部先端２が読書ページの紙から外れて、弾性部１はその弾力で復元して、弾性部先端２が次の読書ページ１１を軽く押さえることとなり、そのまま本を閉じたとしても、本発明のしおり本体は読書中であるページに移動させることなく、絶えず読書ページに弾性部先端２が挿まることとなり、油断してページを閉じることによる、再び読書中断のページがわからなくなるといったことが解消される。【００１５】  ファイルなどの背表紙用シールとして使用する場合、弾性部１が図７のように複数の書籍やファイルなどの上端より突出することにより、複数のファイルの中で本発明を貼り付けて見出しとしたものが目立つために、当該ファイルを容易に発見しやすい。【００１６】  また、ファイルなどの背表紙用シールとして使用する場合、ファイルの表紙、背表紙までにまたがるようにして本発明を図９のように貼り付けることにより、文字記入部６が見えるので、ファイルを寝かせて置いてあっても視認が可能である。
【図面の簡単な説明】
【００１７】
【図１】は本発明の接着部側から見た斜視図である。
【図２】はアルファベットのＰの文字のように見える側から見た状態を示し、円形状に湾曲した弾性部１が弾力する様子を示した図である。
【図３】は本の裏表紙側から最初のページに本発明を貼り付けた状況の使用状態を示す図である。
【図４】は読書中のページからページをめくるときの弾性部１が動作する状況を示す図である。
【図５】は本発明の短冊状の平面部を切断して短くした状態を示す参考図である。
【図６】は本発明の文字記入部側から見た斜視図である。
【図７】は本発明をファイルに背表紙用のシールとして使用する状態の図である。
【図８】は本発明をファイルの背表紙及び表紙、裏表紙までにまたがって貼り付け可能にした形状の図である。
【図９】は本発明をファイルの背表紙及び表紙、裏表紙までにまたがって貼り付けて使用する状態の図である。
【発明を実施するための形態】
【００１８】    図１、図３をもとに説明すると、まず低粘着性接着部保護シート４を剥がし、この面を図３のように、背表紙の次のページ外側面８に、弾性部１側を本の読書面側に向け、読書ページにわずかに弾性部先端２がページを押さえるようになる位置を設定して、低粘着性接着部５面を貼り付ける。
【００１９】  貼り付ける位置としては、上記説明の他、好みにより背表紙外側面７、また、本に厚みが大きい場合は、ページ中間９の適当な位置ページに貼り付ける。
【００２０】  書籍の大きさにより、本発明の平面部３が長すぎる場合は、はさみなどで切断して図５のように平面部３を短くして使用する。
【００２１】  読書中にページをめくろうとすると、図３のように柔らかい弾力の弾性部先端２を紙が押し広げ、弾性部１が反っていって、弾性部先端２は紙の端より外れて次の読書ページに移動し、紙の圧力から開放された弾性部先端２は、その弾性により元の形状に復元して、弾性部１は再び次の読書ページ側１１面を押さえることになる。
【００２２】  読書を中断して本を閉じると、弾性体１はそのやわらい弾性のために、本に挟まれて平たくなり、再び本を開くと、弾性体１は、その形状に復元して読書を同じように継続ができる。
【００２３】  本発明をタイトル用としてファイルなどの背表紙に用いる場合、弾性部先端２がファイル上端１３に接触する程度の位置で、しおりと同じ手順により低粘着性接着部保護シート４を剥がし、平面部３ａ側を内側にして、低粘着性接着部５面をファイル背表紙１２に貼り付ける。
【００２４】  また、本発明をタイトル用としてファイルなどの背表紙に用いる場合、背表紙のみでなく、ファイル表紙までにまたがって貼り付けができるように、平面部３を図８に示すように、平面部３ｃのように横広がり形にしておき、ファイルに貼り付けるときは平面部３ｃを図９に示すようにして貼り付ける。
【符合の説明】
【００２５】１    弾性部
２    弾性部先端
３    平面部
３ａ  弾性部が円形状に湾曲した方向側の平面部
３ｂ  弾性部が円形状に湾曲した方向と反対側の平面部
３ｃ  平面部
４    低粘着性接着部保護シート
５    低粘着性接着部
６    文字記入部
７    背表紙外側面
８    背表紙の次のページ外側面
９    ページ中間
１０  読書中のページ
１１  次の読書ページ側
１２  ファイル背表紙
１３  ファイル上端
【図１】
0005662242.tif 000002
【図２】
0005662242.tif 000003
【図３】
0005662242.tif 000004
【図４】
0005662242.tif 000005
【図５】
0005662242.tif 000006
【図６】
0005662242.tif 000007
【図７】
0005662242.tif 000008
【図８】
0005662242.tif 000009
【図９】
0005662242.tif 000010